(57)【要約】【課題】特別な部品や加工をすることなく貯湯缶体の耐圧、耐負圧強度を向上させることが出来る貯湯式給湯装置を提供する。【解決手段】温水を貯湯する貯湯缶体１と、前記貯湯缶体１内に配置された間接熱交換を行う蛇管１７とを備えたもので、前記蛇管１７を貯湯缶体１の内壁間に突っ張らせて設置したので、貯湯缶体の耐圧、耐負圧性能が向上するものであり、しかも従来より貯湯缶体内に備えられている間接熱交換器の蛇管を利用して行われ、別の部品を追加したりビードを形成する等の特別な加工の必要もなく、構成簡単で安価に提供出来るものである。【選択図】　図２
2004144370.tif 000002
【特許請求の範囲】
【請求項１】
温水を貯湯する貯湯缶体と、前記貯湯缶体内に配置された間接熱交換を行う蛇管とを備えたものに於いて、前記蛇管を貯湯缶体の内壁間に突っ張らせて設置した事を特徴とする貯湯式給湯装置。
【請求項２】
前記突っ張り部分を少なくとも２箇所以上とした事を特徴とする請求項１記載の貯湯式給湯装置。
【発明の詳細な説明】
【０００１】
【発明の属する技術分野】
この発明は、貯湯缶体内の温水との間接熱交換により浴槽水の追焚き又は保温或いは、床暖房やバス暖房又はバス乾燥等を行う貯湯式給湯装置に関するものである。
【０００２】
【従来の技術】
従来よりこの種の貯湯式給湯装置では、風呂循環回路に貯湯缶体内に設けられた間接熱交換器を接続し、貯湯缶体内の温水を利用して電熱ヒータ等を用いなくとも浴槽の追焚きや保温をできるようにしたものであった。（例えば、特許文献１参照）
【０００３】
【特許文献１】
特開平１１−８３１５６号公報
【０００４】
【発明が解決しようとする課題】
ところでこの従来のものでは、ステンレス鋼の薄い板材で構成されている貯湯缶体が、空の状態では外からの外圧や負圧に弱く、直ぐ変形してしまうと言う問題点を有するものであった。
【０００５】
【課題を解決するための手段】
この発明はこの点に着目し上記欠点を解決する為、特にその構成を、温水を貯湯する貯湯缶体と、前記貯湯缶体内に配置された間接熱交換を行う蛇管とを備えたものに於いて、前記蛇管を貯湯缶体の内壁間に突っ張らせて設置したものである。
【０００６】
これにより、貯湯缶体の耐圧、耐負圧性能が向上するものであり、しかも従来より貯湯缶体内に備えられている間接熱交換器の蛇管を利用して行われ、別の部品を追加したりビードを形成する等の特別な加工の必要もなく、構成簡単で安価
に提供出来るものである。
【０００７】
又請求項２では、蛇管の突っ張り箇所を少なくとも２箇所以上とすることで、耐久性の向上を図りより強固なものにすることが出来るものである。
【０００８】
【発明の実施の形態】
次に、本発明の一実施形態を図面に基づいて説明する。
１は温水を貯湯するステンレス鋼の薄板０．９ｍｍから成る貯湯缶体、２は温水を加熱する加熱手段としてのヒートポンプユニット、３は浴槽である。
【０００９】
４は貯湯缶体１とヒートポンプユニット２を循環可能に接続する加熱循環回路で、加熱循環ポンプ５を有し貯湯缶体１の下部に接続されたヒーポン往き管４ａ及び貯湯缶体１上部に接続されたヒーポン戻り管４ｂより構成され、貯湯缶体１下部の冷水をヒーポン往き管４ａを介してヒートポンプユニット２で加熱し、加熱された高温の温水をヒーポン戻り管４ｂで貯湯缶体１上部に戻して貯湯缶体１内に温水を加熱貯湯するものである。なお、貯湯缶体１の外周面には縦に複数個の貯湯温度センサ６ａ、６ｂ、６ｃ、６ｄを有しており、この貯湯温度センサが所定温度以上を検出することで貯湯量を検知するものである。
【００１０】
７は貯湯缶体１に水を供給する給水管、８は貯湯缶体１内の温水を出湯する出湯管、９は給水管７からの冷水と出湯管８からの温水を設定温度になるように混合する混合弁、１０は混合された設定温度の温水を給湯する給湯管、１１は給湯管１０の端部に設けられる蛇口である。１２は混合弁９の下流に設けた給湯温度センサ、１３は給湯量をカウントする給湯流量センサである。なお、１４は水道圧を所定の圧力に減圧する減圧弁、１５は加熱されることによる過圧を逃がす圧力逃し弁である。
【００１１】
１６は風呂循環回路で、貯湯缶体１内に設けられた間接熱交換器を構成する蛇管１７と浴槽３とを風呂往き管１６ａ及び風呂戻り管１６ｂとで循環可能に接続するものである。１８は風呂循環回路１６に設けられた風呂循環ポンプ、１９は流水の有無を検知する流水センサ、２０は風呂循環回路１６を流れる浴槽水の温度を検出する風呂温度センサ、２１は浴槽水の水圧から浴槽３内の水位を検出する水位センサである。
【００１２】
又上記蛇管１７は、大きく４巻されており、その外周径は貯湯缶体１の内径と同等か、それより稍大きく形成され、設置時には貯湯缶体１の内壁間に突っ張って外方に向かって押した状態で、ほぼ中央に取り付けられている。
【００１３】
２２は蛇管１７をバイパスして風呂往き管１６ａと風呂戻り管１６ｂとを接続するバイパス管で、中間位置において三方が全て連通する三方弁よりなる流路切換手段２３がバイパス管２２と風呂戻り管１６ｂの接続部に設けられ、風呂循環回路１８を流れる温水を蛇管１７を流すか否かを選択的に切換えるものである。
【００１４】
２４は給湯管１０途中から分岐されて風呂循環回路１８に接続され浴槽３への湯張りを行うための湯張り管、２５はこの湯張り管２４に設けられ浴槽３への湯張りの開始、停止を行う湯張り弁、２６は浴槽３への湯張り量をカウントする風呂流量センサである。なお、２７は湯張り管２４と水位センサ２１との間に設けられる二方弁で、湯張り時に一旦開弁して風呂戻り管１６ｂの湯張り管２４から浴槽３までの配管のエアパージを行った後、閉弁して水位センサ２１で正確な水位を監視しながら湯張りを行えるようにするものである。
【００１５】
２８はヒートポンプユニット２の加熱制御を行う加熱制御部、２９は給湯および風呂の制御を行う給湯風呂制御部である。
【００１６】
次に、この貯湯式給湯装置の特徴的作動を以下に説明する。
前記給湯風呂制御部２９に接続されたリモコン（図示せず）にて風呂の追焚きが指示されると、風呂給湯制御部２９は流路切換手段２３を蛇管１７側に切換えて風呂循環ポンプ１８を駆動し、浴槽３内の浴槽水を貯湯缶体１内の高温の温水中に設けられた蛇管１７を流通させ、貯湯缶体１の貯湯温水の熱を利用して浴槽水を加熱するものである。貯湯缶体１の温水を用いて浴槽３内の温水を追焚きあるいは保温可能にしたため、追焚きあるいは保温専用の電熱ヒータが不要となり、コストの低減および電力消費量の低減を計れるものである。
【００１７】
更に断水等で貯湯缶体１内に負圧が発生した時には、該貯湯缶体１は内方に向かって引っ張られて変形しようとするが、この貯湯缶体１内には蛇管１７が突っ張った状態で備えられているので、４巻の蛇管１７によって貯湯缶体１の変形はある程度阻止することが出来るものであり、渦巻き状の蛇管１７全体によって内方への変形が確実に防止されるので、別の部品やビード等の別加工を行う必要がなく、風呂用に設けられている蛇管１７を利用して耐圧、耐負圧強度を向上出来、構成簡単で安価に提供出来るものである。
【００１８】
尚、この一実施態様では、蛇管１７は風呂の追い焚き及び保温用としたが、これに限定されることなく、例えば暖房用に備えられたものでも良く、同様な効果が得られるものである。
【００１９】
【発明の効果】
以上のようにこの発明によれば、貯湯缶体の耐圧、耐負圧性能が向上するものであり、しかも従来より貯湯缶体内に備えられている間接熱交換器の蛇管を利用して行われ、別の部品を追加したりビードを形成する等の特別な加工の必要もなく、構成簡単で安価に提供出来るものである。
【００２０】
又請求項２では、蛇管の突っ張り箇所を少なくとも２箇所以上とすることで、耐久性の向上を図りより強固なものにすることが出来るものである。
【図面の簡単な説明】
【図１】この発明の一実施形態を示す貯湯式給湯装置の概略構成図。
【図２】同要部の構成図。
【符号の説明】
１　貯湯缶体
１７　蛇管
【図１】
2004144370.tif 000003
【図２】
2004144370.tif 000004